(57)【要約】      （修正有）【課題】その使用寿命を延ばすことができる折り畳み布ユニット、折り畳みカバー装置、及び折り畳みカーテンを提供する。【解決手段】折り畳み布ユニット４は、剛性を有するように作成されて所定の幅方向及び長さ方向Ｄ２に沿って延伸する一枚の布材であり、且つ、長さ方向Ｄ２に沿って、複数のカバー部４１２に区切られていると共に、隣接する２つのカバー部４１２の間に折り曲げ部４１３が介在する折り畳み布４１と、折り曲げ部４１３に配置されると共に、折り曲げ部４１３に包まれるように配置される固定棒と、固定棒を包んだ折り曲げ部４１３を包むように配置されるスリーブ管と、を有する接合手段４２と、を具える。【選択図】図４
0003224385.tif 000002
【実用新案登録請求の範囲】
【請求項１】
所定の幅方向及び前記幅方向と略直交する長さ方向に沿って延伸する一枚の布材であり、且つ、前記長さ方向に沿って、複数のカバー部に区切られていると共に、隣接する２つの前記カバー部の間に折り曲げ部が介在する折り畳み布と、
前記折り曲げ部に配置されると共に、前記折り曲げ部に包まれるように配置される固定棒と、前記固定棒を包んだ前記折り曲げ部を包むように配置されるスリーブ管と、を有する接合手段と、を具える
ことを特徴とする折り畳み布ユニット。
【請求項２】
前記折り畳み布は、曲げ剛性が高い布材により作成され、
前記接合手段の前記スリーブ管は、前記折り畳み布の前記折り曲げ部と接触する内周面を有し、
前記スリーブ管の前記内周面は、収容空間を画成すると共に、前記折り畳み布の前記折り曲げ部に食い込んで固定するように前記内周面から突出する咬合部と、前記収容空間に連通し、且つ、前記幅方向に沿って延伸する開口と、を有し、
前記収容空間内に収容される前記折り畳み布は、前記開口を経由して前記収容空間外に延伸する
ことを特徴とする請求項１に記載の折り畳み布ユニット。
【請求項３】
前記接合手段の前記固定棒は、ポリオキシメチレンにより作成される
ことを特徴とする請求項１又は請求項２に記載の折り畳み布ユニット。
【請求項４】
前記接合手段の前記スリーブ管は、アルミニウム合金により作成される
ことを特徴とする請求項１〜３のいずれか１項に記載の折り畳み布ユニット。
【請求項５】
請求項１〜４のいずれか１項に記載の折り畳み布ユニットと、複数の支持棒とを有し、互いに前記幅方向の間隔を開け且つ前記長さ方向に沿って延伸する２本のレールを含む工作機械に配置される折り畳みカバー装置であって、
前記支持棒は、前記長さ方向における前記折り畳み布ユニットの両端にそれぞれ接続され、前記幅方向に沿って延伸すると共に、前記長さ方向に沿って往復摺動することができるように前記２本のレールに取り付けられていて、
前記支持棒が前記２本のレールに沿って摺動して互いに接近することに連動して、前記折り畳み布ユニットの各前記折り曲げ部が互いに接近した折り畳み状態と、前記支持棒が前記２本のレールに沿って摺動して互いに離れることに連動して、前記折り畳み布ユニットの各前記折り曲げ部が互いに離れた展開状態と、の間で切り替えることができる
ことを特徴とする折り畳みカバー装置。
【請求項６】
各前記支持棒は、いずれも、前記幅方向に沿って延伸する支持本体と、前記長さ方向における前記支持本体の両側に配置され、前記幅方向に沿って延伸する嵌めスロットと、を有し、
前記支持棒に接続される前記折り畳み布ユニットの両端が接続部として、それぞれが接続された前記支持棒の１つの前記嵌めスロットに嵌め込まれている
ことを特徴とする請求項５に記載の折り畳みカバー装置。
【請求項７】
前記接続部に接続され、前記嵌めスロット内に配置される定位ユニットを有し、
前記定位ユニットは、前記接続部と隣接する定位棒と、一枚の板材であり、且つ、前記定位棒を包む包覆部及び該包覆部の両端からそれぞれ延伸すると共に、前記接続部に固定される固定部を有するように作成された包覆片と、を有する
ことを特徴とする請求項６に記載の折り畳みカバー装置。
【請求項８】
前記定位ユニットの前記包覆片は、可撓性を持つ材料により、前記折り畳み布より薄く作成され、
前記包覆片の前記固定部は、熱融着により前記折り畳み布の前記接続部に固定されている
ことを特徴とする請求項７に記載の折り畳みカバー装置。
【請求項９】
所定の幅方向において互いに間隔を開け、且つ、前記幅方向と略直交する長さ方向に沿って延伸する２本のレールと、
いずれも前記幅方向に沿って延伸すると共に、前記長さ方向に沿ってそれぞれ往復摺動可能となるように前記２本のレールに順に取り付けられている第１の支持棒と第２の支持棒と第３の支持棒と、
前記幅方向及び前記長さ方向に沿って延伸する一枚の布材であり、両端がそれぞれ前記第１の支持棒と前記第２の支持棒とに接続され、前記長さ方向に沿って、２以上の偶数個のカバー部に区切られていると共に、隣接する２つの前記カバー部の間に折り曲げ部が介在する第１の折り畳み布と、
前記幅方向及び前記長さ方向に沿って延伸する一枚の布材であり、両端がそれぞれ前記第２の支持棒と前記第３の支持棒とに接続され、前記長さ方向に沿って、２以上の偶数個のカバー部に区切られていると共に、隣接する２つの前記カバー部の間に折り曲げ部が介在する第２の折り畳み布と、
前記第１の折り畳み布及び前記第２の折り畳み布がそれぞれ有する各前記折り曲げ部に配置されると共に、前記折り曲げ部に包まれるように配置される固定棒と、前記固定棒を包んだ前記折り曲げ部を包むように配置されるスリーブ管と、を有する複数の接合手段と、を具える
ことを特徴とする折り畳みカーテン。
【考案の詳細な説明】
【技術分野】
【０００１】
本考案は工作機械の隣に取り付けられるカバーに用いられる折り畳み布ユニット、該折り畳み布ユニットを用いる折り畳みカバー装置、及び折り畳みカーテンに関する。
【背景技術】
【０００２】
図１及び図２に、特許文献１に係る従来の折り畳みカーテン１の一例が示されている。図１のように、従来の折り畳みカーテン１は、互いに左右方向Ｙの間隔を開け、前後方向Ｘに沿って延伸するレール８を含む工作機械に配置されていると共に、前後方向Ｘに沿って互いに接続され、レール８を前後方向Ｘに沿って摺動することができる複数の折り畳みカバーセット１１を有する。
【０００３】
各折り畳みカバーセット１１は、いずれも、折り畳み布材１１２と、前後方向Ｘにおける折り畳み布材１１２の両端にそれぞれ接続され、レール８に配置される複数の支持棒１１１と、支持棒１１１に配置される固定ピン１１３と、を有する。折り畳み布材１１２は、Ｗ形になるようにそれぞれの前後が接続された４つのカバー部１１４を有する。支持棒１１１は、左右方向Ｙに沿って延伸すると共に、前後方向Ｘに沿ってレール８に対して往復摺動することができる。固定ピン１１３は、折り畳み布材１１２を支持棒１１１に接続するよう、折り畳み布材１１２を貫通して支持棒１１１に挿設される。
【０００４】
支持棒１１１の摺動により、折り畳み布材１１２のカバー部１１４が互いに接近して向かい合う折り畳み状態と、カバー部１１４が互いに離れて略平面状に展開する展開状態と、の間で切り替えることができる。これによって、折り畳みカバーセット１１及び折り畳みカーテン１は、支持棒１１１の摺動により、収納に適する折り畳み状態と、遮蔽機能を発揮する展開状態との間で切り替えることができる。
【０００５】
折り畳みカーテン１の展開状態により、工作機械を外部からの切り屑、研磨液、粉塵などから遮蔽することができる。
【先行技術文献】
【特許文献】
【０００６】
【特許文献１】台湾登録実用新案第Ｍ５４４３８４号明細書
【考案の概要】
【考案が解決しようとする課題】
【０００７】
しかしながら、上述の折り畳み布材１１２としては、通常曲げ剛性が高い布材を使用するので、折れ曲がった状態に保つことが困難である。そのため、従来では複数の布材を縫合で接続して１つの折り畳み布材１１２を作成し、縫合箇所を折り曲げ箇所としていた。一方、縫合では縫い目が必ず存在し、各種の工作機械の稼働において発生する切り屑、研磨液、粉塵は遮断する対象であるが、凹陥部となる縫合箇所に堆積し易く、そして時間が経って堆積物の量が増えると、縫合箇所にある縫い目を押し広げて遮蔽機能が低下する恐れがある。即ち、従来の折り畳みカーテン１には使用寿命が短い欠点がある。
【０００８】
従って、本考案は、その使用寿命を延ばすことができる折り畳み布ユニット、折り畳みカバー装置、及び折り畳みカーテンを提供することを目的とする。
【課題を解決するための手段】
【０００９】
前記目的を達成するための手段として、本考案は、以下の折り畳み布ユニット、該折り畳み布ユニットを用いる折り畳みカバー装置、及び該折り畳みカバー装置を用いる折り畳みカーテンを提供する。
【００１０】
本考案の折り畳み布ユニットは、
所定の幅方向及び長さ方向に沿って延伸する一枚の布材であり、且つ、前記長さ方向に沿って、複数のカバー部に区切られていると共に、隣接する２つの前記カバー部の間に折り曲げ部が介在する折り畳み布と、前記折り曲げ部に配置されると共に、前記折り曲げ部に包まれるように配置される固定棒と、前記固定棒を包んだ前記折り曲げ部を包むように配置されるスリーブ管と、を有する接合手段と、を具えることを特徴とする。
【００１１】
本考案の折り畳みカバー装置は、
上述の折り畳みユニットと、複数の支持棒とを有し、互いに前記幅方向の間隔を開け且つ前記長さ方向に沿って延伸する２つのレールを含む工作機械に配置される折り畳みカバー装置であって、前記支持棒は、前記長さ方向における前記折り畳み布ユニットの両端にそれぞれ接続され、前記幅方向に沿って延伸すると共に、前記長さ方向に沿って往復摺動することができるように前記２つのレールに配置されていて、前記支持棒が前記２つのレールに沿って摺動して互いに接近することに連動して、前記折り畳み布ユニットの各前記折り曲げ部が互いに接近した折り畳み状態と、前記支持棒が前記２つのレールに沿って摺動して互いに離れることに連動して、前記折り畳み布ユニットの各前記折り曲げ部が互いに離れた展開状態と、の間で切り替えることができることを特徴とする。
【００１２】
本考案の折り畳みカーテンは、
所定の幅方向において互いに間隔を開け、且つ、前記幅方向と略直交する長さ方向に沿って延伸する２本のレールと、いずれも前記幅方向に沿って延伸すると共に、前記長さ方向に沿ってそれぞれ往復摺動可能となるように前記２本のレールに順に取り付けられている第１の支持棒と第２の支持棒と第３の支持棒と、前記幅方向及び前記長さ方向に沿って延伸する一枚の布材であり、両端がそれぞれ前記第１の支持棒と前記第２の支持棒とに接続され、前記長さ方向に沿って、２以上の偶数個のカバー部に区切られていると共に、隣接する２つの前記カバー部の間に折り曲げ部が介在する第１の折り畳み布と、前記幅方向及び前記長さ方向に沿って延伸する一枚の布材であり、両端がそれぞれ前記第２の支持棒と前記第３の支持棒とに接続され、前記長さ方向に沿って、２以上の偶数個のカバー部に区切られていると共に、隣接する２つの前記カバー部の間に折り曲げ部が介在する第２の折り畳み布と、前記第１の折り畳み布及び前記第２の折り畳み布がそれぞれ有する各前記折り曲げ部に配置されると共に、前記折り曲げ部に包まれるように配置される固定棒と、前記固定棒を包んだ前記折り曲げ部を包むように配置されるスリーブ管と、を有する複数の接合手段と、を具えることを特徴とする。
【考案の効果】
【００１３】
上記構成によれば、本考案は裁断された複数の布材の代わりに一枚の布材を折り畳み布とするため縫合箇所が存在せず、その上、折り曲げ部に包まれるように配置される固定棒と、固定棒を包んだ前記折り曲げ部を包むように配置されるスリーブ管と、を有する接合手段を使用するので、固定棒とスリーブ管とを有する接合手段を用いて、折り畳み布の折り曲げ部を折れ曲がった状態に保つことができる上、工作機械の稼働において堆積物が発生しても、堆積物により縫合箇所にある縫い目が押し広げられるという状況が発生する問題がなくなり、従来よりも使用寿命を伸ばすことができる。
【図面の簡単な説明】
【００１４】
【図１】従来の折り畳みカーテンを示す斜視図である。
【図２】従来の折り畳みカーテンを示す断面図である。
【図３】本考案に係る折り畳みカーテンの実施形態を示す斜視図である。
【図４】図３におけるＩＶ−ＩＶ線の断面図であって、前記実施形態の展開状態を示す。
【図５】図４の一部を示す拡大断面図であって、前記実施形態において、２つの折り畳み布が１つの支持棒の両側に配置される２つの嵌めスロットにそれぞれ嵌め込まれるように配置されることを示す。
【図６】図４の一部を示す拡大断面図であって、前記実施形態の接合手段を示す。
【図７】前記実施形態の断面図であって、前記実施形態の折り畳み状態を示す。
【考案を実施するための形態】
【００１５】
以下、本考案に係る折り畳みカーテンの実施形態について、図面を参照して説明する。
【００１６】
図３に示されているように、本考案に係る折り畳みカーテンは、工作機械（図示せず）の隣に設置される折り畳みカーテンであって、工作機械の隣にある所定の幅方向Ｄ１において互いに間隔を開け、且つ、幅方向Ｄ１と略直交する長さ方向Ｄ２に沿って延伸する２本のレール９１と、２本のレール９１に取り付けられる第１の支持棒３０１と第２の支持棒３０２と第３の支持棒３０３と、第１の支持棒３０１と第２の支持棒３０２との間に接続されている第１の折り畳み布４０１と、第２の支持棒３０２と第３の支持棒３０３との間に接続されている第２の折り畳み布４０２と、各前記折り畳み布に取り付けられる複数の接合手段４２と、を具えている。
【００１７】
また、図示のように、本考案の折り畳みカーテンが備える支持棒３の数は第１の支持棒３０１と第２の支持棒３０２と第３の支持棒３０３とからなる３本に限らず、第１の支持棒３０１と第２の支持棒３０２と第３の支持棒３０３とを含んだものであれば、必要によって支持棒３の数量を増やすことができる。言い換えると、３以上の複数本の支持棒３を備えた場合、互いに隣接する３本の支持棒３を、本実施形態の折り畳みカーテンにおける第１の支持棒３０１と第２の支持棒３０２と第３の支持棒３０３としてそれぞれ定義することができる。
【００１８】
そして、第１の折り畳み布４０１と第２の折り畳み布４０２とに関しても同様であり、両端がそれぞれ第１の支持棒３０１と第２の支持棒３０２とに接続されるものが第１の折り畳み布４０１に該当し、両端がそれぞれ第２の支持棒３０２と第３の支持棒３０３とに接続されるものが第２の折り畳み布４０２に該当するが、同様な構造を有する折り畳み布４１の数量は支持棒３の数量に応じて変更することが可能であり、１つの折り畳みカーテンが備える折り畳み布４１の数量に関しては限定されていない。
【００１９】
また、本考案の折り畳みカーテンの内、２本のレール９１に取り付けられたものが本考案に係る折り畳みカバー装置２００に該当し、そして折り畳みカバー装置２００の内２本の支持棒３（例えば第１の支持棒３０１と第２の支持棒３０２）の間に接続されている折り畳み布４１（第１の折り畳み布４０１）と、該折り畳み布４１に取り付けられた接合手段４２とにより、本考案に係る折り畳み布ユニット４が構成される。
【００２０】
図４と図５に示されているように、本考案の折り畳み布ユニット４は、折り畳み布４１と接合手段４２とを具える。そして、折り畳み布４１は、曲げ剛性が高い素材により幅方向Ｄ１及び長さ方向Ｄ２に概ね沿って延伸する一枚の布材である。また、折り畳み布４１は、長さ方向Ｄ２に沿って、同じ寸法で区切られている４つのカバー部４１２と、隣接する２つのカバー部４１２の間に介在する折り曲げ部４１３と、支持棒３に接続される折り畳み布４１の両端である接続部４１１と、を有する。
【００２１】
図４と図６に示されているように、接合手段４２は、折り曲げ部４１３に配置されると共に、折り曲げ部４１３に包まれるように配置される固定棒４２１と、固定棒４２１を包んだ折り曲げ部４１３を包むように配置されるスリーブ管４２２と、を有する。また、本実施形態において、固定棒４２１は、ポリオキシメチレンにより作成され、スリーブ管４２２は、アルミニウム合金により作成される。
【００２２】
スリーブ管４２２は、折り畳み布４１の折り曲げ部４１３と接触する内周面４２３を有する。内周面４２３は、収容空間４２５を画成すると共に、収容空間４２５に連通し、且つ、幅方向Ｄ１に沿って延伸する開口４２６を有する。収容空間４２５内に収容される折り畳み布４１は、開口４２６を経由して収容空間４２５外に延伸する。
【００２３】
折り畳み布４１の折り曲げ部４１３をスリーブ管４２２と固定棒４２１との間に挟み込むことで、折り曲げ部４１３を接合手段４２に固定する。また、本実施形態において、内周面４２３は、折り畳み布４１の折り曲げ部４１３に食い込んで固定するように内周面４２３から突出する咬合部４２７を更に有する。これによって、折り畳み布４１の折り曲げ部４１３を接合手段４２に固定する効果を強化する。なお、内周面４２３が咬合部４２７を有する必要はなく、上述のようにスリーブ管４２２と固定棒４２１との間に挟み込むことのみにより折り畳み布４１の折り曲げ部４１３を固定してもよい。
【００２４】
図３〜図５に示されているように、支持棒３は、アルミニウムの押出成形であって、幅方向Ｄ１に沿って延伸する支持本体３１と、長さ方向Ｄ２における支持本体３１の両側に配置され、幅方向Ｄ１に沿って延伸する嵌めスロット３１１と、支持本体３１の両端に配置され、レール９１に沿って摺動可能な摺動部３２と、を有する。支持棒３は、摺動部３２を介してレール９１に沿って往復摺動することができる。
【００２５】
図４に示されているように、折り畳みカバー装置２００は、上述の折り畳み布ユニット４及び支持棒３と、支持棒３に配置される定位ユニット５と、を有する。
【００２６】
図５に示されているように、定位ユニット５は、折り畳み布４１が支持棒３に接続されるよう、接続部４１１に接続され、嵌めスロット３１１内に配置される。本実施形態において、定位ユニット５は、接続部４１１と隣接する定位棒５１と、一枚の板材であり、且つ、定位棒５１を包む包覆部５２１及び該包覆部５２１の両端からそれぞれ延伸すると共に、接続部４１１に固定される固定部５２２を有するように作成された包覆片５２と、を有する。包覆片５２は、可撓性を持つ材料により、折り畳み布４１より薄く作成される。固定部５２２は、熱融着により折り畳み布４１の接続部４１１に固定される。また、他の実施形態において、定位ユニット５を使用することに代わって、他の接続方法を用いてもよい。
【００２７】
以上のことから、本考案に係る折り畳みカバー装置２００及び折り畳みカーテンは、支持棒３のレール９１に対する摺動により、収納に適する折り畳み状態（図７のように）と、遮蔽機能を発揮する展開状態（図４のように）と、の間で切り替えることができる。展開状態において、支持棒３が２つのレール９１に沿って摺動して互いに離れることに連動して、折り畳み布４１の各カバー部４１２は、互いに離れて略平面状に展開する。折り畳み状態において、支持棒３が２つのレール９１に沿って摺動して互いに接近することに連動して、折り畳み布４１の各カバー部４１２は、互いに長さ方向Ｄ２で接近して向かい合う。これによって、折り畳みカバー装置２００及び折り畳みカーテンの展開状態により、工作機械を外部からの切り屑、研磨液、粉塵などから遮蔽することができる。
【００２８】
本考案は、裁断された複数の布材を縫合することに代わって、曲げ剛性が高い一枚の布材である折り畳み布４１を固定棒４２１とスリーブ管４２２とを有する接合手段４２を介して４つのカバー部４１２に区切る。そのため、本考案に係る折り畳み布ユニット、折り畳みカバー装置、及び折り畳みカーテンには、縫合箇所が存在せず、さらに、工作機械の稼働において堆積物が発生しても、堆積物により縫合箇所にある縫い目が押し広げられるという状況が発生する問題がなくなり、従来よりも使用寿命を伸ばすことができる。
【００２９】
以上、本考案の好ましい実施形態及び変化例を説明したが、本考案はこれらに限定されるものではなく、最も広い解釈の精神および範囲内に含まれる様々な構成として、全ての修飾および均等な構成を包含するものとする。
【産業上の利用可能性】
【００３０】
本考案に係る折り畳み布ユニット、折り畳みカバー装置、及び折り畳みカーテンは、工作機械の隣に取り付けられるカバーに対する様々な応用が可能である。
【符号の説明】
【００３１】
２００    折り畳みカバー装置
３        支持棒
３０１    第１の支持棒
３０２    第２の支持棒
３０３    第３の支持棒
３１      支持本体
３１１    嵌めスロット
３２      摺動部
４        折り畳み布ユニット
４０１    第１の折り畳み布
４０２    第２の折り畳み布
４１      折り畳み布
４１１    接続部
４１２    カバー部
４１３    折り曲げ部
４２      接合手段
４２１    固定棒
４２２    スリーブ管
４２３    内周面
４２５    収容空間
４２６    開口
４２７    咬合部
５        定位ユニット
５１      定位棒
５２      包覆片
５２１    包覆部
５２２    固定部
９１      レール
Ｄ１      幅方向
Ｄ２      長さ方向
【図１】
0003224385.tif 000003
【図２】
0003224385.tif 000004
【図３】
0003224385.tif 000005
【図４】
0003224385.tif 000006
【図５】
0003224385.tif 000007
【図６】
0003224385.tif 000008
【図７】
0003224385.tif 000009